(57)【要約】  情報セキュリティ保護や信号の伝送距離によって決定される周波数を使用する通信システムを提供する。情報セキュリティ保護を必要とする近距離通信には所定の周波数未満の周波数が伝送周波数として使用され、一方、情報セキュリティ保護を必要としない近距離通信または遠距離通信には所定の周波数以上の周波数が伝送周波数として使用される。これにより、情報セキュリティ保護、通信距離及び伝送媒体の周波数特性を満たす通信特性に基づいて効果的な通信環境がもたらされ、その結果、本発明を通じて通信を活用する分野が拡大される。
2009518935.tif 000002
【特許請求の範囲】
【請求項１】
情報セキュリティ保護を必要とする近距離通信には予め定められた周波数未満の周波数帯域が伝送周波数として使用され、情報セキュリティ保護を必要としない近距離通信または遠距離通信には予め定められた周波数以上の周波数帯域が伝送周波数として使用される信号の情報セキュリティ保護または伝送距離に従って決定される周波数を使用する通信システム。
【請求項２】
前記情報セキュリティ保護や、近距離通信あるいは遠距離通信によって決定される周波数帯域の信号を伝送する送信部と、
前記送信部から伝送される信号を伝達する伝送媒体と
を備えることを特徴とする請求項１に記載の通信システム。
【請求項３】
前記送信部は、
予め定められた交流信号を生成する送信発振部と、
前記交流信号を用いて情報データを、伝送される信号に含まれる情報データがセキュアか否か及び伝送される信号の伝送距離によって決まる周波数帯域に変調する変調部と
をさらに備えることを特徴とする請求項２に記載の通信システム。
【請求項４】
前記情報セキュリティ保護や、近距離通信あるいは遠距離通信によって決定される周波数帯域の信号を受信する受信部をさらに備えることを特徴とする請求項２に記載の通信システム。
【請求項５】
前記受信部は、
予め定められた交流信号を生成する受信発振部と、
前記受信した信号に含まれた情報データがセキュアか否か及び前記受信した信号の伝送距離によって選択された周波数帯域に従って前記受信信号を前記交流信号を用いて復調する復調部と
をさらに備えることを特徴とする請求項４に記載の通信システム。
【請求項６】
前記送信部及び受信部に連結され、前記送信部と受信部との間に入出力される送受信信号を分離するデュプレクサと、
前記伝送媒体と前記デュプレクサとの間に連結され、前記分離された送受信信号を伝達する電極と
をさらに備えることを特徴とする請求項４に記載の通信システム。
【請求項７】
前記送信部及び受信部は、周波数分割デュプレクシングを使用して相互に通信することを特徴とする請求項４に記載の通信システム。
【請求項８】
前記通信システムが前記送信部及び受信部を複数個含む場合、前記送信部及び前記受信部は、周波数分割多重接続（ＦＤＭＡ）、時分割多重接続（ＴＤＭＡ）、符号分割多重接続（ＣＤＭＡ）及び直交周波数分割多重接続（ＯＦＤＭ）などの多重接続技法のうち何れか一つを使用するか、またはこれらを組み合わせて使用することを特徴とする請求項４に記載の通信システム。
【請求項９】
前記送信部は、
伝送される信号に含まれる情報データがセキュアか否か及び伝送される信号の伝送距離に従って予め定められた周波数以上の周波数帯域の信号を出力する第１の周波数変換部と、
伝送される信号に含まれる情報データがセキュアか否か及び伝送される信号の伝送距離に従って予め定められた周波数未満の周波数帯域の信号を出力する第２の周波数変換部と、
前記第１の周波数変換部及び前記第２の周波数変換部によって出力される信号の一つを選択して、前記選択した信号を出力するスイッチと
をさらに備えることを特徴とする請求項３に記載の通信システム。
【請求項１０】
前記受信部は、受信した信号の周波数を調節する周波数変換部をさらに備えることを特徴とする請求項４に記載の通信システム。
【請求項１１】
前記予め定められた周波数は、１０ＭＨｚの周波数であることを特徴とする請求項１に記載の通信システム。
【請求項１２】
前記伝送媒体は、生体であることを特徴とする請求項２に記載の通信システム。
【請求項１３】
前記伝送媒体は、人体であることを特徴とする請求項１２に記載の通信システム。
【請求項１４】
信号の情報セキュリティ保護または伝送距離に従って決定される周波数を使用する通信システムであって、
前記通信システムは、
情報セキュリティ保護が必要な近距離通信には予め定められた周波数未満の周波数帯域を伝送周波数として使用して信号を伝送し、情報セキュリティ保護が要求されない近距離通信や遠距離通信には予め定められた周波数以上の周波数帯域を伝送周波数として使用して信号を伝送する送信部と、
前記送信部から伝送される信号を伝達する伝送媒体と、
前記伝送媒体を介して伝送される信号を受信する受信部と
を備えることを特徴とする通信システム。
【請求項１５】
前記送信部は、
予め定められた交流信号を生成する送信発振部と、
前記交流信号を用いて情報データを、伝送される信号に含まれる情報データがセキュアか否か及び伝送される信号の伝送距離に従って決定される周波数帯域に変調する変調部と
を備えることを特徴とする請求項１４に記載の通信システム。
【請求項１６】
前記変調部は、振幅変調、周波数変調及び位相変調のうちの何れか一つを用いて前記伝送される信号を変調することを特徴とする請求項１５に記載の通信システム。
【請求項１７】
前記受信部は、
予め定められた交流信号を生成する受信発振部と、
前記交流信号を利用して前記受信した信号を復調する復調部と
を備えることを特徴とする請求項１４に記載の通信システム。
【請求項１８】
前記送信部及び受信部に連結され、前記送信部と受信部との間に入出力される送受信信号を分離するデュプレクサと、
前記伝送媒体と前記デュプレクサとの間に連結され、前記分離された送受信信号を伝達する電極と
をさらに備えることを特徴とする請求項１４に記載の通信システム。
【請求項１９】
前記送信部及び前記受信部は、周波数分割デュプレクシングを使用して相互に通信することを特徴とする請求項１４に記載の通信システム。
【請求項２０】
前記通信システムが前記送信部及び前記受信部を複数個含む場合、前記送信部と前記受信部は、周波数分割多重接続（ＦＤＭＡ）、時分割多重接続（ＴＤＭＡ）、符号分割多重接続（ＣＤＭＡ）及び直交周波数分割多重接続（ＯＦＤＭ）などの多重接続技法のうち何れか一つを使用するか、またはこれらを組み合わせて使用することを特徴とする請求項１４に記載の通信システム。
【請求項２１】
前記送信部は、
伝送される信号に含まれる情報データがセキュアか否か及び伝送される信号の伝送距離に従って予め定められた周波数以上の周波数帯域の信号を出力する第１の周波数変換部と、
伝送される信号に含まれる情報データがセキュアか否か及び伝送される信号の伝送距離に従って予め定められた周波数未満の周波数帯域の信号を出力する第２の周波数変換部と、
前記第１の周波数変換部及び第２の周波数変換部によって出力される信号の一つを選択し、選択した信号を出力するスイッチと
を備えることを特徴とする請求項１４に記載の通信システム。
【請求項２２】
前記受信部は、受信した信号の周波数を調節する周波数変換部をさらに備えることを特徴とする請求項１４に記載の通信システム。
【請求項２３】
前記予め定められた周波数は、１０ＭＨｚの周波数であることを特徴とする請求項１４に記載の通信システム。
【請求項２４】
前記伝送媒体は、生体であることを特徴とする請求項１４に記載の通信システム。
【請求項２５】
前記伝送媒体は、人体であることを特徴とする請求項２４に記載の通信システム。
【発明の詳細な説明】
【技術分野】
【０００１】
本発明は、通信システムに関し、より詳細に言えば、通信の送信端と受信端とが密着する伝送媒体を介した通信システムに関する。
【背景技術】
【０００２】
現代社会の一般人は、ＰＤＡ（Personal Digital Assistants）、携帯電話、医療機器などの機器を常に携帯している。このような機器は、ケーブルを利用した有線伝送方法並びに電波及び光を利用した無線伝送方法を用いてデータを送信する。
【０００３】
有線伝送方法には機密保持や伝送速度が速いという長所があるが、ケーブルなどの有線装置を常に携帯せねばならないという短所がある。また、無線伝送方法にはデータ伝送が容易であるという長所があるが、無線伝送のための追加回路が必要になるため、追加の製造コストが発生するという短所がある。
【０００４】
このような問題を解決するために、人体（human body）を伝送媒体として利用した人体通信システムが提案されている。すなわち、送信部は、人体に結合された送信電極に信号を送信し、送信された信号は、人体に結合された受信電極を通じて受信部に受信される。このような人体通信システムは、ケーブルなどの別個の有線装置や無線伝送のための追加の回路が不要である。
【０００５】
人体を伝送媒体として利用する人体通信システムは、人体周辺に位置する１つまたは複数の送信部及び受信部と通信する。
【０００６】
人体通信システムは、送信部及び受信部の通信セキュリティを保護するために、信号が他のユーザの通信装置に伝送されることを防止する。送受信信号が特定の周波数の範囲を超える場合、人体がアンテナとして動作して、人体外部に信号が放射される。したがって、人体通信システムには、特定の周波数の範囲を超えない低い周波数帯域の使用によって高い伝送速度を実現することが困難であるという問題点がある。
【０００７】
【特許文献１】韓国特許出願公開第１０２００３００３９７５９号明細書
【特許文献２】韓国特許出願公開第１０２００６００２２７３９号明細書
【発明の開示】
【発明が解決しようとする課題】
【０００８】
本発明は、セキュリティ保護や伝送距離にしたがって周波数を使用する通信システムを提供することによって、伝送媒体を介して信号を送信し、高い伝送速度及びセキュリティ保護を提供する。
【課題を解決するための手段】
【０００９】
本発明の一態様によれば、情報セキュリティ保護を必要とする近距離通信には予め定められた周波数未満の周波数帯域が伝送周波数として使用され、情報セキュリティ保護を必要としない近距離通信または遠距離通信には予め定められた周波数以上の周波数帯域が伝送周波数として使用される信号の情報セキュリティ保護または伝送距離に従って決定される周波数を使用する通信システムが提供される。
【００１０】
本発明の他の態様によれば、信号の情報セキュリティ保護または伝送距離に従って決定される周波数を使用する通信システムが提供されるが、当該通信システムは、情報セキュリティ保護が必要な近距離通信には予め定められた周波数未満の周波数帯域を伝送周波数として使用して信号を伝送し、情報セキュリティ保護が要求されない近距離通信や遠距離通信には予め定められた周波数以上の周波数帯域を伝送周波数として使用して信号を伝送する送信部と、送信部から伝送される信号を伝達する伝送媒体と、伝送媒体を介して伝送される信号を受信する受信部と、を備える。
【発明の効果】
【００１１】
本発明によれば、情報セキュリティ保護が必要な近距離通信には、所定の周波数未満の周波数帯域が使用される。一方、情報セキュリティ保護が要求されない近距離通信や遠距離通信には、所定の周波数以上の周波数帯域が使用される。したがって、本発明は、情報セキュリティ保護、伝送距離及び伝送媒体の周波数特性を満たす通信特性に基づいて効果的な通信環境をもたらすことが可能であり、その結果、本発明を通じて通信を活用する分野が拡大されうる。
【００１２】
本発明は、少なくとも一つの送信部、少なくとも一つの受信部及び少なくとも一つの導電性を有する伝送媒体が人体に連結される環境において通信距離及び伝送速度に基づいて適用サービスを満たす適切な通信周波数を選択する通信システム及び通信方法をもたらす。
【発明を実施するための最良の形態】
【００１３】
以下、本発明の実施形態が示されている添付図面を参照して本発明を詳細に説明する。
【００１４】
図１は、本発明の一実施形態に係る通信システムのブロック図である。図１を参照すると、この通信システムには、情報セキュリティ保護（information security protection）が必要な近距離通信（local area communication）には予め定められた周波数未満の周波数帯域を伝送周波数として使用し、情報セキュリティ保護が要求されない近距離通信や遠距離通信には予め定められた周波数以上の周波数帯域を伝送周波数として使用して信号を伝送する送信部１００（Ｔｘ  １〜Ｔｘ  ｎ）と、送信部１００（Ｔｘ  １〜Ｔｘ  ｎ）から受信部１２０（Ｒｘ  １〜Ｒｘ  ｎ）に信号を伝送する伝送媒体１１０と、伝送媒体１１０を介して信号を受信する受信部１２０（Ｒｘ  １〜Ｒｘ  ｎ）とが含まれる。
【００１５】
すなわち、この通信システムは、情報セキュリティ保護が必要な近距離通信には予め定められた周波数未満の周波数帯域を伝送周波数として使用し、情報セキュリティ保護が要求されない近距離通信や遠距離通信には予め定められた周波数以上の周波数帯域を伝送周波数として使用する。
【００１６】
送信部１００のそれぞれ（Ｔｘ  １〜Ｔｘ  ｎ）は、予め定められた交流信号を生成する送信発振部と、伝送される信号に含まれる情報データのセキュリティ保護及び信号の伝送距離による周波数帯域に当該交流信号を使用して情報信号を変調する変調部とを備える。
【００１７】
変調部は、伝送される情報信号を振幅変調、周波数変調及び位相変調のうちのいずれか一つを用いて変調する。
【００１８】
また、受信部１２０のそれぞれ（Ｒｘ  １〜Ｒｘ  ｎ）は、予め定められた交流信号を生成する受信発振部と、受信した信号に含まれる情報データのセキュリティ保護及び受信信号の伝送距離にしたがって当該交流信号を使用して受信した信号を復調する復調部とを備える。
【００１９】
この通信システムは、送信機能と受信機能を何れも含んでおり、送信信号と受信信号との間で干渉が生じうる。ＴＤＤ（Time Division Duplexing）あるいはＦＤＤ（Frequency Division Duplexing）のようなデュプレクシング技法が、送信信号と受信信号との間の相互干渉をなくすために使用される。この目的を達成するために、ＴＤＤ方式では、送信部１００と受信部１２０の間にスイッチが置かれ、ＦＤＤ方式では、送信部１００と受信部１２０の間にデュプレクサが置かれる。
【００２０】
また、通信システムは、送信部１００及び受信部１２０に連結されて、送信部１００と受信部１２０の間に入出力される送信信号／受信信号を分離するためのデュプレクサと、伝送媒体１１０とデュプレクサの間に連結されて、分離された送信信号／受信信号を伝送する電極とをさらに備える。この場合、電極は、伝送媒体１１０と密着されて伝送の経路を形成する。
【００２１】
その結果、送信部１００及び受信部１２０は、ＦＤＤを使用して通信する。
【００２２】
図２は、本発明の一実施形態に係る送信部を示す図面である。図２を参照すると、送信部は、周波数変換部２１０、２３０とスイッチ２２０とで構成される。周波数変換部２１０は、情報信号Ｓ０を周波数ｆ１に変換し、あるいは周波数変換部２３０は、情報信号Ｓ０を周波数ｆ２に変換する。周波数ｆ１または周波数ｆ２を有する情報伝送信号は、図１の伝送媒体１１０を通じて伝送される。
【００２３】
このとき、特定の周波数値を基準とすると、周波数ｆ１は特定の周波数未満の周波数であり、周波数ｆ２は特定の周波数以上の周波数である。スイッチ２２０は、情報セキュリティ保護が要求される近距離通信に使用される周波数ｆ１を選択し、あるいは情報セキュリティ保護が要求されない近距離通信あるいは遠距離通信に使用される周波数ｆ２を選択する。スイッチ２２０は、情報信号Ｓ０のセキュリティ保護及び伝送距離にしたがって、周波数ｆ１または周波数ｆ２のどちらかを決定する。
【００２４】
図２における本発明の実施形態に係る送信部は、増幅回路またはフィルタ回路、送信部と受信部を分離するためのデュプレクサまたはスイッチ、及びスイッチを制御する制御部をさらに含む。
【００２５】
図３は、本発明の他の実施形態に係る送信部を示す図面である。図３を参照すると、送信部には、伝送信号に含まれる情報データのセキュリティ保護及び当該伝送信号の伝送距離によって予め定められた周波数以上の周波数帯域の信号を出力する第１の周波数変換部３００と、伝送信号に含まれる情報データのセキュリティ保護及び当該伝送信号の伝送距離によって予め定められた周波数未満の周波数帯域の信号を出力する第２の周波数変換部３１０と、第１の周波数変換部３００及び第２の周波数変換部３１０の出力の一つをスイッチングして出力するスイッチ３２０とを備える。
【００２６】
図３における本発明の他の実施形態に係る送信部は、出力される周波数、伝送される情報の種類または信号の伝送距離によって、第１の周波数変換部３００及び第２の周波数変換部３１０のうちの一つを使用する。
【００２７】
当該送信部は、特定の周波数未満の周波数である周波数ｆ１でＳ１の情報を含む信号を出力するために第１の周波数変換部３００を使用し、特定の周波数以上の周波数である周波数ｆ２でＳ２の情報を含む信号を出力するために第２の周波数変換部３１０を使用する。
【００２８】
フィルタ３０２は信号Ｓ１をフィルタリングしてノイズを除去し、周波数変換手段３０４はフィルタリング済みの信号を周波数ｆ１に変換し、増幅器３０６は変換済みの信号を増幅して出力する。同様に、フィルタ３１２は信号Ｓ２をフィルタリングしてノイズを除去し、周波数変換手段３１４はフィルタリング済みの信号Ｓ２を周波数ｆ２に変換し、増幅器３１６は変換済みの信号を増幅して出力する。
【００２９】
スイッチ３２０は、第１の周波数変換部３００及び第２の周波数変換部３１０によって変換された出力周波数を最終的に選択する。スイッチ３２０は、伝送される情報の種類や伝送距離に基づく周波数よって信号Ｓ１または信号Ｓ２を選択し、伝送媒体に出力される信号Ｓ１または信号Ｓ２を決定する。
【００３０】
図２における本発明の実施形態に係る送信部は、増幅回路またはフィルタ回路、送信部と受信部を分離するためのデュプレクサまたはスイッチをさらに含む。
【００３１】
図１に示した通信システムは、伝送媒体１１０として誘電体である生体（living body）を使用する。この生体としては人体（human body）を使用することも可能である。
【００３２】
人体周辺の送信部と受信部との間の距離による伝送特性を考慮すれば、低い周波数帯域の信号は、人体が有線伝送線路として作用するので媒体である人体を通じて主に伝えられる。このためには、人体が送信部や受信部の電極と直接的に連結されていなければならない。
【００３３】
ニアフィールドが人体周辺に形成されて、電極がニアフィールド内の送信部及び受信部の間に置かれる場合に、予め定められた周波数帯域は、電極が人体に直接連結されていなくても媒体である人体を通じて伝送可能である。
【００３４】
一方、高い周波数帯域の信号は、人体外部に放射される信号の量が多く、一定距離が離れていても伝送損失が大きくないため、近距離だけでなく、遠距離への信号伝送が可能である。なかでも、高い周波数帯域の信号は、低い周波数帯域の信号よりも高い伝送速度を実現しうるという長所がある。
【００３５】
したがって、伝送信号の情報セキュリティ保護及び伝送距離にしたがって信号周波数が決定されることにより、さらに効率的な通信が可能である。
【００３６】
本発明では、人体外部への信号伝送が防止されなければならない、情報セキュリティ保護が要求される近距離通信の場合には、人体伝送経路やニアフィールドが利用され、特定の周波数未満の周波数帯域を選択して信号が伝送される。また、人体外部へ信号が伝送されることが可能な、あるいは要求される、情報セキュリティ保護が要求されない近距離通信または遠距離通信の場合には、特定の周波数以上の周波数帯域が選択される。
【００３７】
近距離通信は、セキュリティ保護が必要か否かによって周波数を選択する。特定の周波数は、送信部によって出力される信号の大きさ、受信部の受信感度、送信部と受信部との間の伝送媒体の特性、そして送信部と受信部の間に置かれる電極の特性や形態など色々な要因によって変わる。
【００３８】
図４Ａ乃至図４Ｅは、伝送媒体である人体の信号伝送特性を説明する図である。図４Ａを参照すると、信号を生成する結晶発振器（ＳＧ）は、第１の人体（ＨＢ：Human Body）の片腕に連結され、第１の人体（ＨＢ）を介して伝送される信号を測定する信号分析器（ＳＡ：Signal Analyzer）は、当該人体の他方の片腕に連結される。このとき、両側の腕の距離は約７０ｃｍである。図４Ｂを参照すると、信号を生成し（ＳＧ）かつ分析する（ＳＡ２）装置は、第１の人体外部へ放射される信号の特性を知るために、第１の人体（ＨＢ）から約７０ｃｍ離れている第２の人体（ＨＢ）の片腕に連結される。
【００３９】
信号を測定することによって得られる結果は、図４Ｃに示したグラフに表される。Ｙ軸は信号生成器（ＳＧ）及び信号分析器（ＳＡ１、ＳＡ２）の間の差異を示す。グラフが示しているのは、送受信信号の周波数が０ＭＨｚ以上１０ＭＨｚ未満である場合には、第２の人体の外部に放射された後伝送される信号の量が−３５ｄＢ未満であることである。しかし、第１の人体（ＨＢ）内で伝送される信号の量は、送受信信号の周波数が１０ＭＨｚ以上６０ＭＨｚ未満である場合には、第１の人体の外部に伝送される信号の量と比較的類似している。送受信信号の周波数が６０ＭＨｚ以上である場合には、第１の人体の外部に放射されて伝送される信号の量は、第１の人体内で伝送される信号の量よりも多くなる。
【００４０】
図４Ｄを参照すると、第１の人体及び第２の人体間の距離による信号伝送特性を知るために、信号を生成する信号生成器（ＳＧ）は第１の人体の片腕に連結され、第１の人体から放射されて第２の人体に伝送される信号を測定する信号分析器（ＳＡ）は第２の人体の片腕に連結される。
【００４１】
このとき、信号生成器（ＳＧ）の出力信号の大きさは０ｄＢｍであり、出力周波数は５００ｋＨｚ及び１０ＭＨｚ帯域である。また、第１の人体と第２の人体の距離は、両方の人体が手をつないだ場合を０ｃｍとし、３０ｃｍ間隔で距離を次第に伸ばして伝送される信号の大きさを測定した。
【００４２】
図４Ｅを参照すると、グラフは信号分析器（ＳＡ）から出力される信号の大きさを示している。５００ｋＨｚの信号の大きさは距離が遠ざかるほど急速に減衰するが、１０ＭＨｚの信号の大きさは距離に比較的関係なく一定の大きさを維持している。
【００４３】
結果的に、送受信信号の周波数が１０ＭＨｚ未満である場合、第１の人体から放射されて第２の人体に伝送される信号の大きさは、非常に小さい。したがって、他の人体が非常に接近していなければ、この周波数帯域を人体通信に利用する場合、人体外部に伝送される信号の量が少ないので、通信セキュリティ保護の面で優秀である。そして、送受信信号が１０ＭＨｚ以上の周波数帯域をとる場合には、第１の人体から放射されて第２の人体に伝送される信号の量は、人体内で伝送される信号の量よりも多くなり、所定の距離以内の他人との距離に関係なく一定の伝送損失を表す。
【００４４】
結局、人体伝送経路やニアフィールドを利用した人体通信システムは、１０ＭＨｚ未満の周波数を使用するのに対し、人体の外部に及び他のユーザの通信装置に信号が伝送されうる近距離通信または遠距離通信は、１０ＭＨｚ以上の周波数を使用する。このような場合、１０ＭＨｚを特定の周波数あるいは予め定められた周波数に設定する。
【００４５】
もし、これを簡単に適用するために、特定の周波数より高い周波数と低い周波数とをそれぞれ選択し、二つの伝送周波数の差が十分に大きいならば、相互間に干渉のない通信が可能である。例として、特定の周波数より低い周波数を利用して現金サービスのための個人認証をすると同時に、特定の周波数より高い周波数を利用してラジオ放送の聴取が可能である。
【００４６】
かかる場合のように、一つのシステムに送信部と受信部とが複数個存在し、高い周波数及び低い周波数のような多くの使用周波数を必要とするので、通信システムは、周波数分割多重接続（ＦＤＭＡ：Frequency Division Multiple Access）、時分割多重接続（ＴＤＭＡ：Time Division Multiple Access）、符号分割多重接続（ＣＤＭＡ：Code Division Multiple Access）あるいは直交周波数分割多重接続（ＯＦＤＭ：Orthogonal Frequency Division Multiplex）などの多重接続技法のうちのいずれか一つあるいはこれらを組み合せて使用する必要がある。すなわち、このような多重接続技法を使用する通信システムは、二つの伝送周波数の差を大きくせずに同時に２つ以上の信号伝送が可能である。
【００４７】
図５は、本発明の一実施形態に係る通信システムの適用例を示す図面である。図５を参照すると、人体ＨＢが認証端末機５０２、音楽プレイヤー５０３及びヘッドホン５０４を人体に有しているとき、プレイヤー５０３から出力される音楽Ｓ１をヘッドホン５０４で聞くことができる。この場合、音楽プレイヤー５０３が送信部となり、人体が伝送媒体となり、ヘッドホン５０４は受信部となる。そして、通信システムは近距離通信であるので、特定の周波数未満の周波数帯域で音楽Ｓ１が伝送される。
【００４８】
本発明の実施形態に係る通信システムは、人体が音楽Ｓ１を聞くと同時に、身体接触を通じて認証装置５０１に対して認証端末機５０２に保存された個人情報Ｓ０を送ることができる。認証のために人体ＨＢが手を認証装置５０１に接触させれば、送信部である認証端末機５０２は、認証装置５０１と接触した伝送媒体である手を通じて個人情報Ｓ０を受信部である認証装置５０１に伝える。認証端末機５０２は、人体ＨＢの手が認証装置５０１に接触して接点が形成される場合、または認証端末機５０２が人体ＨＢの手を介してニアフィールドに置かれた場合に、伝送媒体である人体ＨＢを介して認証装置５０１に認証のための個人情報Ｓ０を伝送する。
【００４９】
個人情報Ｓ０はセキュリティ保護を必要とするため、個人情報Ｓ０の伝送周波数は特定の周波数未満である。音楽Ｓ１は、他人が同じ通信システムを使用して音楽を聞かれてはならず、セキュリティ保護を必要とするため、音楽Ｓ１の伝送周波数は特定の周波数未満である。
【００５０】
一つの人体ＨＢ内で同時に二つの信号Ｓ０及びＳ１が伝送される。このような場合、二つの信号Ｓ０及びＳ１間の干渉をなくすために、異なる符号または周波数を用いる多重接続技法を利用する。
【００５１】
図６は、本発明の他の実施形態に係る通信システムが適用される例を示す図である。図６を参照すると、第１の人体ＨＢ１及び第２の人体ＨＢ２は、第１の人体ＨＢ１及び第２の人体ＨＢ２を識別するために必要な情報Ｓ０及び情報Ｓ１を伝送し、第１の人体ＨＢ１及び第２の人体ＨＢ２の手首につけられた認証端末機６０２、６０３を用いてアミューズメントパークの料金を認証装置６０１に対して支払う。情報Ｓ０及び情報Ｓ１はセキュリティ保護を必要とし、伝送周波数は特定の周波数未満である。この場合、情報Ｓ０及び情報Ｓ１の間の干渉を回避するために多重接続技法が使用されて情報Ｓ０及び情報Ｓ１が伝送される。
【００５２】
また、第１の人体ＨＢ１が所持しているカメラである装置６０４を利用して写真を撮って、人体ＨＢ１及びＨＢ２が所持しているディスプレイ装置６０５、６０６にその写真データＳ２が伝送される。装置６０４は第１の人体ＨＢ１内を介して第１の人体ＨＢ１が所持しているディスプレイ装置６０５に写真データＳ２を伝送するが、これは近距離通信である。したがって、写真データＳ２の伝送周波数は特定の周波数未満とすることが可能である。しかしながら、写真データＳ２はセキュリティ保護を必要としないので、写真データＳ２の伝送周波数は特定の周波数以上にすることが可能である。
【００５３】
そして、装置６０４は、第１の人体ＨＢ１の外部経由で第２のＨＢ２が所持しているディスプレイ装置６０６に写真データＳ２を伝送する。したがって、写真データＳ２の伝送周波数は特定の周波数以上にすることが可能である。この場合、装置６０４は送信部の役割を果たし、ディスプレイ装置６０６は受信部の役割を果たし、第１の人体ＨＢ１が伝送媒体の役割を果たす。
【００５４】
図７は、本発明の他の実施形態に係る通信システムが適用される他の例を示す図である。図７を参照すると、人体ＨＢがショッピングセンターで商品７０１に身体接触すれば、人体ＨＢが所持しているディスプレイ装置７０２には価格や賞味期限などの商品情報Ｓ０が表示される。このとき、商品７０１は、本発明に係る送信部を含んでおり、伝送媒体である人体ＨＢを介して受信部であるディスプレイ装置７０２に商品情報Ｓ０を伝送する。人体ＨＢは、ヘッドセット７０４を介して第２の送信部であるスピーカ７０３から伝送されるショッピングセンターの案内放送Ｓ１を聞く。
【００５５】
このとき、商品情報Ｓ０はセキュリティ保護を必要とするので、商品情報Ｓ０の伝送周波数は特定の周波数未満である。また、ショッピングセンターにいる全ての買い物客は案内方法Ｓ１を聞くので、案内方法Ｓ１の伝送周波数は特定の周波数以上となる。
【００５６】
本発明は、コンピュータ読み取り可能な記録媒体上にコンピュータ読み取り可能な符号として実装可能である。コンピュータ読み取り可能な記録媒体は、コンピュータシステムによって読み取り可能なデータを格納できる任意のデータ記憶装置を含む。コンピュータ読み取り可能な記録媒体の例としては、読み出し専用メモリ（ＲＯＭ）、ランダムアクセスメモリ（ＲＡＭ）、ＣＤ−ＲＯＭ、磁気テープ、フロッピー（登録商標）ディスク、光データ記憶装置及び搬送波がある。
【００５７】
本発明は、例示的な実施形態を参照して特に示され、説明されてきたが、形態や詳細な点においてさまざまな変形が、本発明の要旨及び範囲を逸脱しない限り可能であるということは当業者に理解されよう。
【図面の簡単な説明】
【００５８】
【図１】本発明の一実施形態に係る通信システムのブロック図である。
【図２】本発明の一実施形態に係る送信部の例を示す図である。
【図３】本発明の他の実施形態に係る送信部の例を示す図である。
【図４Ａ】通信環境とその環境で伝えられる信号との相関関係を示す図である。
【図４Ｂ】通信環境とその環境で伝えられる信号との相関関係を示す図である。
【図４Ｃ】通信環境とその環境で伝えられる信号との相関関係を示す図である。
【図４Ｄ】通信環境とその環境で伝えられる信号との相関関係を示す図である。
【図４Ｅ】通信環境とその環境で伝えられる信号との相関関係を示す図である。
【図５】本発明の一実施形態に係る通信システムの適用例を示す図である。
【図６】本発明の他の実施形態に係る通信システムの適用例を示す図である。
【図７】本発明の他の実施形態に係る通信システムの適用例を示す図である。
【図１】
2009518935.tif 000003
【図２】
2009518935.tif 000004
【図３】
2009518935.tif 000005
【図４Ａ】
2009518935.tif 000006
【図４Ｂ】
2009518935.tif 000007
【図４Ｃ】
2009518935.tif 000008
【図４Ｄ】
2009518935.tif 000009
【図４Ｅ】
2009518935.tif 000010
【図５】
2009518935.tif 000011
【図６】
2009518935.tif 000012
【図７】
2009518935.tif 000013
【国際調査報告】
2009518935.tif 000014
2009518935.tif 000015